(57)【要約】【課題】  立上り管の内周面と内蓋の外周面とが気密に保持されていても、内蓋を簡単かつ容易に持ち上げて開けることのできる、排水マス等における取手付き内蓋を提供する。【解決手段】  上端に平坦な閉塞部２が形成された短筒状の蓋主体３の、前記上端部外周にフランジ４を一体的に形成する。前記平坦な閉塞部２に凹状部８を形成するとともに、この凹状部８の一部に把手９を、その上面部が前記閉塞部２と面一であって、かつ前記蓋主体３の中心点Oより離れた位置に偏倚させて設ける。【選択図】      図２
2005061039.tif 000002
【特許請求の範囲】
【請求項１】
平坦な閉塞部が形成された短筒状の蓋主体の、前記閉鎖部外周にフランジを一体的に形成し、
前記平坦な閉塞部に凹状部を形成するとともに、
この凹状部の一部に把手部を、前記蓋主体の中心点より離れた位置に偏倚させて設けたこと
を特徴とする排水マス等における取手付き内蓋。
【請求項２】
前記凹状部は、
その中心部が、前記蓋主体の中心部と一致していること
を特徴とする請求項１に記載の排水マス等における取手付き内蓋。
【請求項３】
前記凹状部は、
その中心部が、前記蓋主体の中心部よりも外周縁側に偏倚していること
を特徴とする請求項１に記載の排水マス等における取手付き内蓋。
【請求項４】
前記把手は、
その中心部が、前記凹状部の中心部よりも外周縁側に偏倚していること
を特徴とする請求項３に記載の排水マス等における取手付き内蓋。
【請求項５】
前記把手は、
その上面部が、前記閉塞部と面一であって、蓋主体の中心点で直交する２本の直線のいずれか一方と平行で、かつ外周縁側に偏倚させて設けたこと
を特徴とする請求項１に記載の排水マス等における取手付き内蓋。
【請求項６】
前記短筒状の蓋主体は、
下部外周部に、パッキングを装着するためのリング状の装着部が形成されていること
を特徴とする請求項１〜４のいずれかに記載の排水マス等における取手付き内蓋。
【発明の詳細な説明】
【技術分野】
【０００１】
この発明は、雨水や家庭内の汚水などを排出する排水マスや、道路下に埋設された下水道管の途中に設けられるマンホール（以下、これらを総称して「排水マス等」という。）などの設置に際し、排水管や下水道管内部を点検するために設けられる立上り管の上端部に取付けられる、排水マス等における取手付き内蓋に関するものである。
【背景技術】
【０００２】
排水マス等を構成する立上り管の上端部に取り付けられる内蓋としては、例えば、特開平１１−１６６２６６号公報（特許文献１）には、合成樹脂製ます又はマンホールの立上り部の、上端部に取り付けられる鍔付き短筒体からなる内蓋であって、前記鍔付き短筒体の短筒部内のその上端からやや下方に蓋板が設けられ、該蓋板上に、前記筒状部の上端から突出しないような取手が設けられている取手付き内蓋が開示されている。
【特許文献１】特開平１１−１６６２６６号公報（特許請求の範囲、図２および図３）
【発明の開示】
【発明が解決しようとする課題】
【０００３】
前記特許文献１に記載の取手付き内蓋は、下水用点検口の上蓋が沈下した場合にも、内蓋の取手が干渉することなく、上蓋の開閉に支障をきたすことを解消することを目的として、図２、図３のいずれにおいても、各短筒部の上端の外方に鍔部が設けれ、前記短筒部内の上端部に、鍔部と面一をなすように蓋板が形成され、かつ前記短筒部の下部の外周面に、周方向に沿って凹溝が形成され、この凹溝に立上り管の上端部内周面との間をシールするパッキングが装着されている。
【０００４】
そして、前記凹溝に装着されるパッキングとして、外周面が下端部から上端部方向に向けて拡径するように形成したフィン型のパッキングを使用した場合、立上り管の内周面と内蓋の外周面とのシール効果が向上する利点があるものの、密封性が良好であるが故に、内蓋を容易に持ち上げることができないという問題が生じている。
【０００５】
この発明はかかる問題点に鑑み、立上り管の内周面と内蓋の外周面とが気密に保持されていても、内蓋を簡単かつ容易に持ち上げて開けることのできる、排水マス等における取手付き内蓋を提供せんとするものである。
【課題を解決するための手段】
【０００６】
前記の目的を達成するため、この発明の請求項１に記載の発明は、
平坦な閉塞部が形成された短筒状の蓋主体の、前記閉鎖部外周にフランジを一体的に形成し、
前記平坦な閉塞部に凹状部を形成するとともに、
この凹状部の一部に把手部を、前記蓋主体の中心点より離れた位置に偏倚させて設けたこと
を特徴とする排水マス等における取手付き内蓋である。
【０００７】
また、請求項２に記載の発明は、
請求項１に記載の排水マス等における取手付き内蓋において、
前記凹状部は、
その中心部が、前記蓋主体の中心部と一致していること
を特徴とするものである。
【０００８】
また、請求項３に記載の発明は、
請求項１に記載の排水マス等における取手付き内蓋において、
前記凹状部は、
その中心部が、前記蓋主体の中心部よりも外周縁側に偏倚していること
を特徴とするものである。
【０００９】
また、請求項４に記載の発明は、
請求項３に記載の排水マス等における取手付き内蓋において、
前記把手部は、
その中心部が、前記凹状部の中心部よりも外周縁側に偏倚していること
を特徴とするものである。
【００１０】
また、請求項５に記載の発明は、
請求項１に記載の排水マス等における取手付き内蓋において、
前記把手部は、
その上面部が、前記閉塞部と面一であって、蓋主体の中心点で直交する２本の直線のいずれか一方と平行で、かつ外周縁側に偏倚させて設けたこと
を特徴とするものである。
【００１１】
また、請求項６に記載の発明は、
請求項１〜４のいずれかに記載の排水マス等における取手付き内蓋において、
前記短筒状の蓋主体は、
下部外周部に、パッキングを装着するためのリング状の装着部が形成されていること
を特徴とするものである。
【発明の効果】
【００１２】
この発明の排水マス等における取手付き内蓋は、上部に平坦な閉塞部が形成された短筒状の蓋主体の前記閉塞部に凹状部を形成するとともに、この凹状部の一部に把手部を、前記蓋主体の中心点より離れた位置に偏倚させて設けているので、前記凹状部内に掌を入れ、把手を、下方から指先部で把持して上方に引き上げれば、把手自体が蓋主体の中心点から常に外周縁側に偏倚しているので、引き上げる力が一方側に集中し、簡単かつ容易に内蓋を立上り管から取り外すことができる。
【００１３】
特に、この発明においては、前記閉塞部に凹状部を形成するに際し、凹状部自体を蓋主体の中心部から偏倚させることによって、より確実に引き上げる力が一方側に集中し、簡単かつ容易に内蓋を立上り管から取り外すことができる。
【発明を実施するための最良の形態】
【００１４】
この発明において、排水マス等における取手付き内蓋は、短筒状の蓋主体の上端部に設けられた、平坦な閉塞部に凹状部を形成するに際し、前記凹状部の一部に把手部を、その上面部が前記閉塞部と面一であって、かつ前記蓋主体の中心点より離れた位置に偏倚させて設けたことを最大の特長とするもので、以下、その実施例を添付の図面に基づいて説明する。
【実施例１】
【００１５】
図１および図２に示す排水マス等における取手付き内蓋１は、所要の径を有し、かつ上端が平坦な閉塞部２で閉止され、下端部が開口された短筒状の蓋主体３からなるもので、この蓋主体３の上端部外周に、前記の閉塞部２と面一の状態でフランジ４が一体的に形成されるとともに、下部外周部に一対の突条部６ａ，６ｂが上下方向に所要の間隔を存して突設されてパッキング保持部が形成されたもので、このパッキング保持部に図２で明らかなように、リング状のフィン付きパッキング７が装着され、立上り管５の上端部に装着されるものである。
【００１６】
この時、前記フランジ部４の下面が内蓋１のストッパーとなり、立上り管５の上端面に当接され、内蓋１はフィン付きパッキング７を介して立上り管５に遊嵌されている。
【００１７】
なお、前記閉塞部２は、その表面を開口部側に所要形状で凹まして凹状部８を形成し、この凹状部８に、蓋主体２の中心点Oよりも外周縁側、具体的には、前記中心点Oにおいて直交する２本の直線L１ 又はＬ２ よりも外周縁側に寄った位置に、しかも前記直線L１ と平行させて把手９を一体的に形成したものである。
【００１８】
また、前記蓋主体３は、硬質塩化ビニル樹脂などの合成樹脂材料で一体成型したものであるが、金属製であってもよく、また、前記閉塞部２への凹状部８の形成に際しては、前記把手９を把持する時、図１に示すように、凹状部８内に拳部分を容易に挿入させることができるように、中心点Ｏ側に位置する凹状部８の開口面積を大きくすることが、また、前記把手９は、手の平で握り易いように断面Ｕ字状とすることが好ましい。さらに、把手９を直線状とし、その長さ以上に凹状部８の長さを長くすることによって、射出成型におけるアンダーカットの処理を容易にすることができる。
【００１９】
図２の状態において、内蓋１を取り外すには、凹状部８内に拳を挿入し、掌で把手９を把持して上方に引き上げると、内蓋１に掛かる力は一方側に偏り、把手９から遠い位置にある前記フランジ４と立上り管５の当接部Ｐが支点となるモーメントが働き、同時にこの支点Ｐと反対側のフィン付きパッキング７が変形し、内蓋１は一方側から引き上げられ、容易に取り外すことができる。
【実施例２】
【００２０】
図３に示す排水マス等における取手付き内蓋１１は、中空でかつ短筒状の蓋主体１３の上部を閉塞する閉塞部１２に、凹状部１８を同心円状に形成し、この凹状部１８の中心点よりも外周縁側に、円弧状の把手１９を形成したもので、凹状部１８を蓋主体と同心円状に形成することで、拳を挿入する部位を広くすることが可能となる。
【００２１】
なお、図中１４は、閉塞部１２の外周に一体的に形成されたフランジを示す。
【実施例３】
【００２２】
図４に示す排水マス等における取手付き内蓋２１は、中空でかつ短筒状の蓋主体２３の上部を閉塞する閉塞部２２に、凹状部２８を同心円状に形成し、この凹状部２８に、蓋主体２３の中心点Oよりも外周縁側、すなわち、前記中心点Oにおいて直交する２本の直線L１ 又はＬ２ よりも外周縁側に寄った位置に、しかも前記直線L２ と平行させて把手２９を一体的に形成したもので、この凹状部２８の中心点よりも外周縁側に、円弧状の把手２９を形成したもので、凹状部２８を蓋主体と同心円状に形成することで、拳を挿入する部位を広くすることが可能となる。
【００２３】
なお、図中２４は、閉塞部２２の外周に一体的に形成されたフランジを示す。
【００２４】
上記の各実施例においては、把手を蓋主体の中心部から外周縁側に偏倚させて形成しているが、図１乃至図２で明らかなように、閉塞部２に凹状部８を形成するに際し、凹状部８自体を蓋主体３のいずれかの外周縁側に偏倚させることにより、さらに把手９自体を凹状部８の外周縁側に偏倚させることによって、拳を挿入させる部位をより広く形成することもできる。
【００２５】
また、把手は蓋主体の中心部から可能な範囲で外周縁側に偏倚させることによって、蓋主体を持ち上げるとき、持ち上げる力が一方側にのみ作用するので、蓋主体が立上り管に密封されていても簡単に持ち上げることができるが、蓋主体の中心点で直交する２本の直線のいずれか一方と平行で、かつ外周縁側に偏倚させて設けることにとって、より効果を挙げることができる。
【図面の簡単な説明】
【００２６】
【図１】この発明の排水マス等における取手付き内蓋の一例を示す平面図である。
【図２】図１における排水マス等における取手付き内蓋の一部切欠き断面図である。
【図３】この発明の排水マス等における取手付き内蓋の他の例を示す平面図である。
【図４】この発明の排水マス等における取手付き内蓋の、さらに他の例を示す平面図である。
【符号の説明】
【００２７】
１，１１，２１    排水マス等における取手付き内蓋
２，１２，２２    閉塞部
３，１３，２３    蓋主体
４，１４，２４    フランジ
５                立上り管
６ａ，６ｂ        突条部
７                フィン付きパッキング
８，１８，２８    凹状部
９，１９，２９    把手
O                蓋主体の中心部
L１  ，L２          中心部Oを通る直線
Ｐ                支点
【図１】
2005061039.tif 000003
【図２】
2005061039.tif 000004
【図３】
2005061039.tif 000005
【図４】
2005061039.tif 000006
【手続補正書】
【提出日】平成15年8月28日(2003.8.28)
【手続補正１】
【補正対象書類名】特許請求の範囲
【補正対象項目名】請求項１
【補正方法】変更
【補正の内容】
【請求項１】
平坦な閉塞部が形成された短筒状の蓋主体の、前記閉塞部外周にフランジを一体的に形成し、
前記平坦な閉塞部に凹状部を形成するとともに、
この凹状部の一部に把手部を、前記蓋主体の中心点より離れた位置に偏倚させて設けたこと
を特徴とする排水マス等における取手付き内蓋。
【手続補正２】
【補正対象書類名】明細書
【補正対象項目名】０００６
【補正方法】変更
【補正の内容】
【０００６】
前記の目的を達成するため、この発明の請求項１に記載の発明は、
平坦な閉塞部が形成された短筒状の蓋主体の、前記閉塞部外周にフランジを一体的に形成し、
前記平坦な閉塞部に凹状部を形成するとともに、
この凹状部の一部に把手部を、前記蓋主体の中心点より離れた位置に偏倚させて設けたこと
を特徴とする排水マス等における取手付き内蓋である。